(57)【特許請求の範囲】
【請求項１】
少なくとも照明方向に対して開口する樹脂製の本体の内部に、照明方向に光を放射する発光部を取り付けると共に、その開口を閉塞するように取り付けられられる透光性樹脂で形成されたカバーを有し、上記本体とカバーとの間に線状の発熱線を挟み、発熱線に通電して発熱させることにより本体およびカバーの周縁を溶融させた後、冷却することによって本体とカバーとを相互に溶着させた照明器具において、上記発熱線を本体とカバーとの溶着部分に合わせて形成すると共に、その発熱線の一部を内側に突出させて端子部を形成し、この端子部に電極を接触させるための穴を本体側に形成すると共に、端子部を挟んで電極の押し付け力を受ける受部を上記カバーに形成し、さらに、この受部とカバーの底面との間に空間を形成して、上記発光部から放射される光がカバーの底面の全域に届き、上記受部の陰がカバーの外部から目視されないようにしたことを特徴とする照明器具。
【発明の詳細な説明】
【技術分野】
【０００１】
本発明は、浴室の天井などに設置される埋め込み式の照明器具に関する。
【背景技術】
【０００２】
上述のような照明器具では、本体は天井に開設された取付穴に浴室側から差し込まれ、下方、すなわち浴室側には透光性のカバーが臨むことになる。本体内には発光部が収納されており、その発光部から照射される光がカバーを透過して浴室内へと拡散されて照射される。
【０００３】
一般に本体は光を透過しない樹脂材料で形成されるが、カバーは透明もしくは半透明の透光性の樹脂材料で形成される。従って、本体とカバーとは相違する材料で形成するため別体に形成した後に相互に結合されている。ただし、浴室に用いる照明器具では、カバーと本体との合わせ部分から内部に湿気などの水分が浸入しないように、カバーと本体との合わせ部分は水密性が要求される。
【０００４】
ただし、本体とカバーとを全周にわたって接着剤によって接着しても水密性は確保できるが、接着剤が硬化するまでの時間を要し、製造工程では、接着剤の硬化のための時間、照明器具が生産ライン途中で滞留する、いわゆるバッチ処理を行わなくてはならず、生産効率が低下する。
【０００５】
そこで、バッチ処理を行うこと無く、複数の照明器具の本体とカバーとを連続して水密に結合できるものとして、本体とカバーとの間に線状の発熱線を挟んで、発熱線に通電することにより本体とカバーとの双方を溶融して、相互に溶着させるものが知られている（例えば、特許文献１参照）。
【先行技術文献】
【特許文献】
【０００６】
【特許文献１】特開平１０−４４２４６号公報（図２）
【発明の概要】
【発明が解決しようとする課題】
【０００７】
上記従来の溶着構造では、発熱線を環状に形成すると共に、発熱線の一部を環状の内側もしくは外側に突出させて通電用の電極が接触するための端子部を形成する必要がある。この端子部を外側に形成すると、端子部に対応する部分を本体およびカバー共に外側に突出するように形成しなければならないため、外観が損なわれる。そのため、上記特許文献１に記載された実施形態のように、端子部を環状の電熱線の内側に突出させることになる。
【０００８】
この場合、カバー側に通電のための電極を挿入する穴を設けることができないので、この電極の挿入用の穴を本体側に設ける。すると、カバーの内側には電極に押された端子部を受けるための受部を設けなければならない。
【０００９】
ところが、この受部をカバーの底面、すなわち浴室側に臨む面に達するように設けると、この受部を設けた部分に発光部から放射された光が届かず、その結果、浴室側から見るとカバーの底面に受部の陰が現れ、デザイン上好ましくない。
【００１０】
そこで本発明は、上記の問題点に鑑み、電熱線を用いて本体とカバーとを溶着しても、カバーに受部の陰が現れない照明器具を提供することを課題とする。
【課題を解決するための手段】
【００１１】
上記課題を解決するために本発明による照明器具は、少なくとも照明方向に対して開口する樹脂製の本体の内部に、照明方向に光を放射する発光部を取り付けると共に、その開口を閉塞するように取り付けられられる透光性樹脂で形成されたカバーを有し、上記本体とカバーとの間に線状の発熱線を挟み、発熱線に通電して発熱させることにより本体およびカバーの周縁を溶融させた後、冷却することによって本体とカバーとを相互に溶着させた照明器具において、上記発熱線を本体とカバーとの溶着部分に合わせて形成すると共に、その発熱線の一部を内側に突出させて端子部を形成し、この端子部に電極を接触させるための穴を本体側に形成すると共に、端子部を挟んで電極の押し付け力を受ける受部を上記カバーに形成し、さらに、この受部とカバーの底面との間に空間を形成して、上記発光部から放射される光がカバーの底面の全域に届き、上記受部の陰がカバーの外部から目視されないようにしたことを特徴とする。
【００１２】
上記構成によれば、カバーに設けた受部とカバーの底面との間に空間を形成することによって、発光部から放射される光が受部によって遮られること無くカバーの底面全体に届く。
【発明の効果】
【００１３】
以上の説明から明らかなように、本発明は、発光部から放射される光が受部によって遮られること無くカバーの底面全体に届くので、受部の陰がカバーの外部から目視されず、デザイン性が損なわれることが無い。
【図面の簡単な説明】
【００１４】
【図１】照明器具の全体を示す斜視図
【図２】溶着前の状態を示す分解斜視図
【図３】溶着前の状態を示す断面図
【図４】溶着後の状態を示す断面図
【発明を実施するための形態】
【００１５】
図１を参照して、１は本発明による照明器具の一例である。この照明器具１は浴室の天井に開設された取付穴に対して浴室側から嵌め込まれることによって天井に取り付けられる、いわゆる埋め込み式と呼ばれるものである。
【００１６】
この照明器具１は樹脂製の本体２と透光性樹脂からなるカバー３とが全周にわたって溶着され、照明器具１の内部に浴室内の湯水や水蒸気などの水分が浸入しないように、いわゆる水密性が担保されている。
【００１７】
図２を参照して、この水密性を担保するため、本体２とカバー３とを合わせる際に、両者の間に環状の発熱線４を挟み込む。この発熱線４には対向する２個所に内側に折り曲げられた端子部４１が形成されており、両端子部４１に外部から通電すると発熱線４の全体が発熱し、発熱線４を挟んでいる本体２とカバー３とを溶融させる。
【００１８】
なお、本体２には発熱線４を本体２とカバー３とで挟んだ状態で端子部４１に電極を当接させるための穴２１が設けられ、カバー３には端子部４１を受ける受部３１が形成されている。
【００１９】
図３を参照して、この受部３１はカバー３の底面３２に対して連結しておらず、底面３２と受部３１との間には空間が確保されている。また、上記穴２１には電極５が挿入されるが、この電極５には外部の電源５１が接続されている。なお、この電源５１は直流電源として図示したが、発熱線４を発熱させることができるのであれば交流電源であってもよい。
【００２０】
そして、電極５から端子部４１へと電流を流すと発熱線４が全体にわたって発熱して本体２とカバー３とを溶融させるが、その状態で本体２をカバー３に押し付けると共に通電を停止し、さらに冷却させることによって溶融した部分を凝固させる。すると、本体２とカバー３とは全周にわたって水密に溶着させることになる。
【００２１】
図４を参照して、上述のように、受部３１と底面３２との間には空間が確保されているので、本体２内に収納されている発光部（図示せず）から放射された光Ｂは底面３２の前面に行き渡って、カバー３を外部から目視した場合に、底面３２に受部３１の陰が現れることが無い。
【００２２】
なお、本発明は上記した形態に限定されるものではなく、本発明の要旨を逸脱しない範囲内において種々の変更を加えてもかまわない。
【符号の説明】
【００２３】
１ 照明器具
２ 本体
３ カバー
４ 発熱線
５ 電極
３１ 受部
３２ 底面
４１ 端子部
３２ 底面
【図１】
0006473912.tif 000002
【図２】
0006473912.tif 000003
【図３】
0006473912.tif 000004
【図４】
0006473912.tif 000005